(57)【要約】【課題】ユーザーの手に直接熱風が当たるのを低減した放熱装置及び携帯情報機器を提供する。【解決手段】発熱する電子部品の熱が伝導されるヒートシンクと、前記ヒートシンクに送風し、装置本体の筐体の側壁から排気するファンとを備えた放熱装置において、前記ヒートシンクは、平行に配列された多数のプレート型のフィンを有し、かつ、前記各フィンが前記筐体の側壁の法線に対し、前記筐体の内部から外部に向けてユーザーから離れる方向に傾斜している。【選択図】図３
2014085973.tif 000002
【特許請求の範囲】
【請求項１】
発熱する電子部品の熱が伝導されるヒートシンクと、前記ヒートシンクに送風し、装置本体の筐体の側壁から排気するファンとを備えた放熱装置において、
前記ヒートシンクは、平行に配列された多数のプレート型のフィンを有し、かつ、前記各フィンが前記筐体の側壁の法線に対し、前記筐体の内部から外部に向けてユーザーから離れる方向に傾斜していることを特徴とする放熱装置。
【請求項２】
前記各フィンの前記法線に対する角度は、１０度から３０度の範囲内であることを特徴とする請求項１記載の放熱装置。
【請求項３】
請求項１又は２記載の放熱装置を用いたことを特徴とする携帯情報機器。
【発明の詳細な説明】
【技術分野】
【０００１】
本発明は、放熱装置及び携帯情報機器に関し、特に発熱する能動素子に設けられたヒートシンクにファンモータで送風し、筐体の側壁から排気するようにした放熱装置及び携帯情報機器に関する。
【背景技術】
【０００２】
携帯情報機器の一例としてノートパソコンが挙げられる。
ノートパソコンは、発熱する能動素子としてのＣＰＵ（central processing unit）を有し、ＣＰＵに設けられたヒートシンクにファンモータで送風し、装置本体の筐体側面から排気するようになっている（例えば、特許文献１参照。）。
【０００３】
特許文献１記載の発明は、遠心ファンに関するものであり、具体的には、ローターと、頂壁及び側壁からなる上カバー及び下カバーによってローターを収容する収容空間を形成し、上カバーと下カバーの一方のローターに対応する位置に吹入口が設置され、側壁に第一吹出口が設置されるフレームと、を備えてなる遠心ファンにおいて、上カバーと下カバーとの間における第一吹出口の片側にエアガイド部が設置され、エアガイド部は、第一吹出口の吹出辺縁に沿って設置されるガイド壁を備え、エアガイド部のガイド壁と側壁との間に第一吹出口に隣り合う第二吹出口が形成され、第二吹出口の吹出方向が直交するものである。
【先行技術文献】
【特許文献】
【０００４】
【特許文献１】特開２０１０−２１６４８２号公報
【発明の概要】
【発明が解決しようとする課題】
【０００５】
しかしながら、特許文献１に記載の発明は、発熱する能動素子に設けられたヒートシンクにファンモータで送風し、装置本体の筐体の左の側壁から排気するようにしたノートパソコンに用いた場合には、ユーザーの左手に直接熱風が当たるという不都合がある。
【０００６】
そこで、本発明の目的は、ユーザーの手に直接熱風が当たるのを低減した放熱装置及び携帯情報機器を提供することにある。
【課題を解決するための手段】
【０００７】
上記課題を解決するため、請求項１に係る発明は、発熱する電子部品の熱が伝導されるヒートシンクと、前記ヒートシンクに送風し、装置本体の筐体の側壁から排気するファンとを備えた放熱装置において、前記ヒートシンクは、平行に配列された多数のプレート型のフィンを有し、かつ、前記各フィンが前記筐体の側壁の法線に対し、前記筐体の内部から外部に向けてユーザーから離れる方向に傾斜していることを特徴とする。
【発明の効果】
【０００８】
本発明によれば、ユーザーの手に直接熱風が当たるのを回避した放熱装置及び携帯情報機器の提供を実現することができる。
【図面の簡単な説明】
【０００９】
【図１】携帯情報機器としてのノートパソコンの使用中の状態を示す図である。
【図２】図１に示したノートパソコン１００の装置本体１０１からキーボード１０４やトラックパッドやカバー等の部品を取り除いた状態を示す外観斜視図である。
【図３】図２に示したノートパソコン１００の装置本体１０１の破線Ａで囲まれた領域の拡大図である。
【図４】比較例としての通常の放熱装置の概念図である。
【発明を実施するための形態】
【００１０】
＜構  成＞
本実施形態について図面を参照して説明する。
図１は、携帯情報機器としてのノートパソコンの使用中の状態を示す図である。
同図に示すように、ノートパソコン１００は、装置本体１０１と、装置本体１０１に開閉自在に設けられた蓋部１０２とを有する。蓋部１０２には例えば液晶表示装置１０３が設けられ、装置本体１０１の筐体にはキーボード１０４やトラックパッドが設けられており、装置本体１０１の筐体の側壁には排気口１０５が形成されている。排気口１０５は、発熱する電子部品から発する熱を装置本体１０１の外部に排気するための開口である。
【００１１】
図２は、図１に示したノートパソコン１００の装置本体１０１の筐体からキーボード１０４やトラックパッドや表面カバー等の部品を取り除いた状態を示す外観斜視図である。
図２に示すノートパソコン１００の排気口１０５の近傍には、発熱する電子部品の一例としての図には示されないＣＰＵの真上にヒートシンクが設けられ、ヒートシンクの上にファンモータ（ファン）１０６が設けられている。ヒートシンクは、平行に配列された多数のプレート型のフィン１０７を有しており、かつ、各フィン１０７が側壁の法線に対しユーザーから離れる方向に傾斜している。尚、ヒートシンクとファンモータ１０６とで放熱装置１１０が構成されている。
【００１２】
図３は、図２に示したノートパソコン１００の装置本体１０１の破線Ａで囲まれた領域の拡大図である。
図３に示す各フィン１０７の法線に対する角度θは、１０度から３０度の範囲内であるが、好ましくは２０度である。
これは、角度θが１０度では熱をユーザーの手から回避させる効果が低く、角度θが３０度ではノートパソコン１００のＣＰＵの冷却効率が下がりすぎるためである。
【００１３】
＜動  作＞
図３に示す放熱装置を用いることにより、装置本体１０１の筐体の側壁１０１ａの開口１０５から排気される熱の方向が矢印Ｐ１方向となる。
このように放熱装置１１０を構成することにより、排気口１０５からの熱風がユーザーから離れる方向に向くので、ユーザーの手、特に左手に当たる熱風の量が低減される。
【００１４】
＜比較例＞
図４は、比較例としての通常の放熱装置の概念図である。図４に示した放熱装置１１０ａの図３に示した放熱装置１１０との相違点は、各フィン１０７ａの法線に対する角度が０度である、すなわち、側壁に直交している点である。図４に示した放熱装置１１０ａをノートパソコンに用いた場合には、排気口１０５からの熱風がユーザーの手に当たる。
【００１５】
＜効  果＞
ここで、図１を参照して、効果について述べる。
通常、ユーザーは、例えば右利きの場合、主にキーボードの操作を両手で行うが、待機している場合や、図には示さないマウス操作を行う場合や、データ入力の場合は左手がノートパソコン１００の装置本体１０１の側壁に位置することが多い。この場合、左手が排気口１０５の近傍に位置することとなり、一般のノートパソコンでは発熱する電子部品からの熱風が直接左手に当たり、不快感を生じることがある。
しかしながら、本実施形態の放熱装置を用いた場合には排気口１０５から排気される熱風の向きがユーザー、特にユーザーの手から離れる方向（装置の後方）に向かうため、ユーザーの手に熱風が直接当たることが低減される。
【００１６】
なお、上述した実施の形態は、本発明の好適な実施の形態の一例を示すものであり、本発明はそれに限定されることなく、その要旨を逸脱しない範囲内において、種々変形実施が可能である。例えば、上述した実施の形態では、排気口が装置本体の左の側壁に形成された場合で説明したが、右側に形成された場合も同様である。
【符号の説明】
【００１７】
１００    ノートパソコン
１０１    装置本体
１０１ａ    側壁
１０２    蓋部
１０３    表示装置
１０４    キーボード
１０５    排気口
１０６    ファンモータ
１０７、１０７ａ    フィン
１１０、１１０ａ    放熱装置
【図１】
2014085973.tif 000003
【図２】
2014085973.tif 000004
【図３】
2014085973.tif 000005
【図４】
2014085973.tif 000006